(57)【特許請求の範囲】
【請求項１】
動力伝達の遮断を伴わずに変速段を切り替える主変速装置と、動力伝達の遮断を伴って変速段を切り替える副変速装置と、前記主変速装置と前記副変速装置とに変速制御指令を出力して前記主変速装置の主変速段と前記副変速装置の副変速段との組み合わせによる車両変速比を作り出す変速制御ユニットとを備えた走行作業車のための変速表示制御装置であって、
第１表示画面と第２表示画面とを生成する表示画面生成部が備えられ、
前記第１表示画面には、
前記副変速段の群を表示する副変速段表示領域と、前記副変速段に前記主変速段の群が割り当てられて表示される主変速段表示領域と、使用中の前記主変速段及び使用中の前記副変速段の組み合わせによる使用変速段を表示する使用変速段表示領域とが含まれ、
前記第２表示画面には、
前記副変速段表示領域と、前記主変速段表示領域と、前記車両変速比の下限を規定するために前記変速段を選択する下限選択領域と、前記車両変速比の上限を規定するために前記変速段を選択する上限選択領域と、前記選択中の上限及び下限の変速段を表示する選択変速段表示領域が含まれており、
前記副変速段表示領域と前記主変速段表示領域とが、半円弧状の棒グラフ形態で形成されており、
前記下限選択領域と前記上限選択領域とが、前記副変速段表示領域及び前記主変速段表示領域の形成する半円弧の中心と共通の中心を有する半円弧状の棒グラフ形態で形成されている、変速表示制御装置。
【請求項２】
前記主変速段表示領域が前記副変速段表示領域の径方向外側に配置され、前記下限選択領域が前記上限選択領域の径方向外側に配置されている請求項１に記載の変速表示制御装置。
【請求項３】
動力伝達の遮断を伴わずに変速段を切り替える主変速装置と、動力伝達の遮断を伴って変速段を切り替える副変速装置と、前記主変速装置と前記副変速装置とに変速制御指令を出力して前記主変速装置の主変速段と前記副変速装置の副変速段との組み合わせによる車両変速比を作り出す変速制御ユニットとを備えた走行作業車のための変速表示制御装置であって、
第１表示画面と第２表示画面とを生成する表示画面生成部が備えられ、
前記第１表示画面には、
前記副変速段の群を表示する副変速段表示領域と、前記副変速段に前記主変速段の群が割り当てられて表示される主変速段表示領域と、使用中の前記主変速段及び使用中の前記副変速段の組み合わせによる使用変速段を表示する使用変速段表示領域とが含まれ、
前記第２表示画面には、
前記副変速段表示領域と、前記主変速段表示領域と、前記車両変速比の下限を規定するために前記変速段を選択する下限選択領域と、前記車両変速比の上限を規定するために前記変速段を選択する上限選択領域と、前記選択中の上限及び下限の変速段を表示する選択変速段表示領域が含まれており、
前記下限選択領域には下限変速段を指示する下限設定指針が前記下限選択領域内を移動可能に配置され、前記上限選択領域には上限変速段を指示する上限設定指針が前記上限選択領域内を移動可能に配置されている、変速表示制御装置。
【請求項４】
動力伝達の遮断を伴わずに変速段を切り替える主変速装置と、動力伝達の遮断を伴って変速段を切り替える副変速装置と、前記主変速装置と前記副変速装置とに変速制御指令を出力して前記主変速装置の主変速段と前記副変速装置の副変速段との組み合わせによる車両変速比を作り出す変速制御ユニットとを備えた走行作業車のための変速表示制御装置であって、
第１表示画面と第２表示画面とを生成する表示画面生成部が備えられ、
前記第１表示画面には、
前記副変速段の群を表示する副変速段表示領域と、前記副変速段に前記主変速段の群が割り当てられて表示される主変速段表示領域と、使用中の前記主変速段及び使用中の前記副変速段の組み合わせによる使用変速段を表示する使用変速段表示領域とが含まれ、
前記第２表示画面には、
前記副変速段表示領域と、前記主変速段表示領域と、前記車両変速比の下限を規定するために前記変速段を選択する下限選択領域と、前記車両変速比の上限を規定するために前記変速段を選択する上限選択領域と、前記選択中の上限及び下限の変速段を表示する選択変速段表示領域が含まれており、
前記表示画面生成部がさらに第３表示画面を生成し、
前記第３表示画面は、前記主変速段の群から使用するべき変速段を選択する使用変速段選択画面である、変速表示制御装置。
【請求項５】
前記使用変速段表示領域と前記選択変速段表示領域とが共通化されている請求項１から４のいずれか一項に記載の変速表示制御装置。
【発明の詳細な説明】
【技術分野】
【０００１】
本発明は、動力伝達の遮断を伴わずに変速段を切り替える主変速装置と、動力伝達の遮断を伴って変速段を切り替える副変速装置と、前記主変速装置と前記副変速装置とに変速制御指令を出力して前記主変速装置の主変速段と前記副変速装置の副変速段との組み合わせによる車両変速比を作り出す変速制御ユニットとを備えた走行作業車のための変速表示制御装置に関する。
【背景技術】
【０００２】
トラクタのような走行作業車では、種々の作業走行や路上走行に適した速度（車速）を得るために、主変速装置と副変速装置とを組み合わせて２０速以上の車両変速比を作り出す変速制御ユニットも普及している。
【０００３】
例えば、特許文献１による作業車では、８つの変速段を有する主変速装置と、３つの変速段を有する副変速装置とを備えている作業車が開示されている。この主変速装置は、１速から８速の変速位置に操作可能な主変速レバーによって主変速装置の変速段が決定される。副変速装置は、３つの変速位置に操作可能な副変速レバーによって副変速装置の変速段が決定される。主変速レバーの操作位置は７セグメントの表示部に表示されるので、運転者はこの表示部を見ながら８つの変速段から所望の変速段を設定することができる。
【０００４】
さらに、特許文献２による農業用トラクタでは、４段の第１主変速装置と２段の第２主変速装置との組み合わせで８段の変速段を得る主変速装置と、３段の変速が可能な副変速装置とが備えられている。この副変速装置を操作するときには主クラッチの入切操作を要するので、主クラッチペダルを踏み込んで操作レバーを前後方向あるいは左右方向に操作し、変速操作後に主クラッチペダルを離す。また、主変速装置に関しては、操作レバーのノブに設けた増速スイッチと減速スイッチを押し込むことで変速が行われる。つまり、増速スイッチ３７を１速から順番に押すことによって８速まで１段ずつ変速がなされる。逆に８速の位置にある主変速装置に対して減速スイッチを順番に押すことによって８速から１速まで減速することができる。選択されている変速段の表示は、計器パネルに配置されている液晶表示部を通じて行われる。この液晶表示部の左上には副変速装置の変速位置が表示され、その右横には主変速装置の変速位置が反転表示される。
【先行技術文献】
【特許文献】
【０００５】
【特許文献１】２００８−５７６７４号公報
【特許文献２】２００９−２１４８７７号公報
【発明の概要】
【発明が解決しようとする課題】
【０００６】
上述したような走行作業車では、主変速装置と副変速装置との組み合わせにより、多数の変速段が得られるが、スムーズな作業走行を実現するために適正な変速段の利用を簡単にするという課題の達成にはまだ至っていない。このような実情に鑑み、本発明の課題は、主変速装置と副変速装置との組み合わせによって得られる多数の変速段を適正に利用するために貢献できる変速表示制御装置を提供することである。
【課題を解決するための手段】
【０００７】
動力伝達の遮断を伴わずに変速段を切り替える主変速装置と、動力伝達の遮断を伴って変速段を切り替える副変速装置と、前記主変速装置と前記副変速装置とに変速制御指令を出力して前記主変速装置の主変速段と前記副変速装置の副変速段との組み合わせによる車両変速比を作り出す変速制御ユニットとを備えた走行作業車のための、本発明による変速表示制御装置は、第１表示画面と第２表示画面とを生成する表示画面生成部を備えている。前記第１表示画面には、前記副変速段の群を表示する副変速段表示領域と、前記副変速段に前記主変速段の群が割り当てられて表示される主変速段表示領域と、使用中の前記主変速段及び使用中の前記副変速段の組み合わせによる使用変速段を表示する使用変速段表示領域とが含まれている。前記第２表示画面には、前記副変速段表示領域と、前記主変速段表示領域と、前記車両変速比の下限を規定するために前記変速段を選択する下限選択領域と、前記車両変速比の上限を規定するために前記変速段を選択する上限選択領域と、前記選択中の上限及び下限の変速段を表示する選択変速段表示領域が含まれており、前記副変速段表示領域と前記主変速段表示領域とが、半円弧状の棒グラフ形態で形成されている。
【０００８】
この構成によれば、走行中に運転者が注目する第１表示画面には、副変速段の群を表示する副変速段表示領域と主変速段の群が割り当てられて表示される主変速段表示領域とが配置されており、さらに使用中の主変速段と使用中の副変速段とを示す使用変速段表示領域も配置されている。これにより、運転者は、多数の主変速段と多数の副変速段とを見ながら、現在使用している変速段を簡単に視認することができる。これにより、現在使用している変速段が最低速段及び最高速段からどの程度の位置にあるかを、運転者は容易に知ることができ、次に選択すべき適切な変速段を把握することができる。さらに、本発明が適用される変速装置では、変速操作によって実現できる変速範囲を、主変速装置の主変速段と副変速装置の副変速段との組み合わせによる多数の変速段（車両変速比）の群から選択することが可能であり、その選択は、第２表示画面を通じて行うことができる。つまり、車両変速比の下限を規定する変速段は、下限選択領域において選択することができ、車両変速比の上限を規定する変速段は、上限選択領域において選択することができる。第２表示画面の副変速段表示領域及び主変速段表示領域は、第１表示画面と共通しているので、運転者にとって馴染みやすいという利点が得られる。
【０００９】
さらに、前記副変速段表示領域と前記主変速段表示領域とが、半円弧状の棒グラフ形態で形成されているので、副変速段表示領域及び主変速段表示領域は、横拡がりの形態でなく、一点に集中するような形態で表示されるので、一瞥で、副変速段及び主変速段を確認することができる。
【００１０】
さらに、前記下限選択領域と前記上限選択領域とが、前記副変速段表示領域及び前記主変速段表示領域の形成する半円弧の中心と共通の中心を有する半円弧状の棒グラフ形態で形成されている。この構成では、副変速段表示領域及び主変速段表示領域は、共通する一点に集中するような形態で表示されるので、運転者は、副変速段と主変速段の両方を一瞥で確認することができる。その際、前記主変速段表示領域を前記副変速段表示領域の径方向外側に配置し、前記下限選択領域を前記上限選択領域の径方向外側に配置すると、主変速段の数が副変速段の数より少ない場合、各副変速段の上に全ての主変速段を配置しても、必要スペースは少なくて済む。
【００１１】
本発明の好適な実施形態の１つでは、前記下限選択領域には下限変速段を指示する下限設定指針が前記下限選択領域内を移動可能に配置され、前記上限選択領域には上限変速段を指示する上限設定指針が前記上限選択領域内を移動可能に配置されている。このような表示レイアウトを採用することで、下限変速段と上限変速段との選択作業が視覚的に分かりやすいものとなる。
【００１２】
さらに、前記使用変速段表示領域と前記選択変速段表示領域とが共通化されていると、走行時の変速段を確認するような感覚で、変速段の選択範囲を確認することができ、変速段の選択作業が馴染みやすいものとなる。
【００１３】
本発明の好適な実施形態の１つでは、前記表示画面生成部がさらに第３表示画面を生成し、前記第３表示画面は、前記主変速段の群から使用するべき変速段を選択する使用変速段選択画面である。この構成を採用することで、主変速段の群から実際の利用できる変速段の選択作業も、第１及び第２表示画面が表示されるディスプレイを通じて行うことができる。
【図面の簡単な説明】
【００１４】
【図１】本発明による変速制御の基本原理を説明する模式図である。
【図２】本発明による変速制御のための表示画面の一例を説明する模式図である。
【図３】本発明による変速制御のための表示画面の一例を説明する模式図である。
【図４】本発明による走行作業車の実施形態の１つであるトラクタの側面図である。
【図５】トラクタに装備されたトランスミッションの模式図である。
【図６】トラクタに装備されたアームレスト操作装置の側面図である。
【図７】アームレスト操作装置の平面図である。
【図８】アームレスト操作装置に設けられた多機能操作具の斜視図である。
【図９】変速操作後の主変速装置と副変速装置との変速段を示す変速段切替表である。
【図１０】トラクタに装備されている制御系で本発明に特に関する機能を示す機能ブロック図である。
【発明を実施するための形態】
【００１５】
本発明による走行作業車の具体的な実施形態を説明する前に、図１を用いて本発明を特徴付けている変速制御の基本原理を説明する。本発明の走行作業車は、エンジン２０からの動力を変速して、駆動輪に伝達するトランスミッション３を備えており、このトランスミッション３には主変速装置３０と副変速装置３１とが含まれている。主変速装置３０は動力伝達の遮断を伴わずに変速段の切り替えるタイプであり、副変速装置３１は動力伝達の遮断を伴って変速段を切り替えるタイプである。以下、この主変速装置３０と副変速装置３１とにおける変速段に切り替え制御、いわゆる変速制御の基本を図１を用いて説明する。ここでは、主変速装置３０は１からｎ段の変速段（ｎは自然数であるが、通常４から８程度の数値を意味している）を有する。副変速装置３１はＡからＦ段の変速段（ＡからＦの記号は変数段の識別するために用いられており、変数段の数を規定するものではない、通常変数段の数は２から８段程度である）を有する。主変速装置３０で選択された変速段と副変速装置３１で選択された変速段との組み合わせで１つの車両変速比が作り出される。図１では、そのような組み合わせ変速段が、主変速装置３０の変速段数値（自然数）と変速段記号（アルファベット）の組み合わせで示されている。
【００１６】
運転者は、主変速装置３０の変速段を切り替えるために第１操作ユニットＭＵを操作し、副変速装置３１の変速段を切り替えるために第２操作ユニットＳＵを操作する。第１操作ユニットＭＵ及び第２操作ユニットＳＵは、レバーやボタンやダイヤル、あるいはその組み合わせで構成することができる。いずれにせよ、第１操作ユニットＭＵは主変速装置３０に対する増速変速（アップシフト）または減速変速（ダウンシフト）の操作指令を出力し、第２操作ユニットＳＵは副変速装置３１に対する増速変速（アップシフト）または減速変速（ダウンシフト）の操作指令を出力する。
【００１７】
第１操作ユニットＭＵ及び第２操作ユニットＳＵから出力された操作指令は変速制御ユニット６に入力される。変速制御ユニット６は、入力された操作指令に基づいて適切な車両変速比が作り出されるように主変速装置３０または副変速装置３１あるいはその両方に変速制御指令を出力する。なお、図１では、変速制御ユニット６の変速段切り替え機能を、前記主変速装置の変速段の切り替えだけを行う変速制御指令を生成する第１走行制御部６１と、副変速装置の変速段の切り替えを伴う前記変速制御指令を生成する第２走行制御部６２とに区分けして、説明している。
【００１８】
変速制御ユニット６は、この走行作業車が作業地で作業しながら走行する際に適用される作業走行モードと、この走行作業車が公道などの道路を比較的速い速度で走行する際に適用される路上走行モードを有する。変速制御ユニット６における変速段の切り替え制御は、上記の２つの走行モードで異なるように設定可能である。図１での模式図では、作業走行モードでの変速段の切り替え制御が示されている。
【００１９】
図１から理解できるように、第１操作ユニットＭＵからアップシフト指令が入ると、主変速装置３０の変速段が一段階上げられ、副変速装置３１の変速段は維持される。その際、操作前の主変速装置３０の変速段が最高速段（図１ではｎ段）であれば、主変速装置３０の変速段及び副変速装置３１の変速段はそのまま維持され、全体的な車両変速比は変化しない。つまり、第１操作ユニットＭＵからアップシフト指令によって副変速装置３１の変速段を変更するようなアップシフトは行われない。同様に、第１操作ユニットＭＵからダウンシフト指令が入ると、主変速装置３０の変速段が一段階下げられ、副変速装置３１の変速段は維持される。その際、操作前の主変速装置３０の変速段が最低速段（図１では１段）であれば、主変速装置３０の変速段及び副変速装置３１の変速段はそのまま維持され、全体的な車両変速比は変化しない。つまり、第１操作ユニットＭＵからのダウンシフト指令では、副変速装置３１の変速段を変更するようなダウンシフトは行われない。
【００２０】
副変速装置３１の変速段を切り替えるためには、第２操作ユニットＳＵが用いられる。第２操作ユニットＳＵからアップシフト指令が入ると、副変速装置３１の変速段が一段階上げられ、原則的には、主変速装置３０の変速段は最低速段に切り替えられる。つまり、第２操作ユニットＳＵからのアップシフト指令により、副変速装置３１の1つ上の変速段と主変速装置３０の1段とが組み合わされる。これは、副変速装置３１をアップシフトすることで車両変速比が大きく変化することを回避するためである。しかしながら、主変速装置３０の変速段が最高速段の時に副変速装置３１をアップシフトして、副変速装置３１の1つ上の変速段と主変速装置３０の1段とが組み合わされても、その変速差がわずかとなるような変速段構成がある。このような構成の場合には、例外的に副変速装置３１の1つ上の変速段と主変速装置３０の最低速段より少なくとも１つ上の変速段（図１では２段）とが組み合わされる（図１ではＢｎからＣ２に移行する点線で示されている）。また、副変速装置３１の変速段が既に最高速段であるときは、そのアップシフト指令は、無視される。
【００２１】
同様に、第２操作ユニットＳＵからダウンシフト指令が入ると、副変速装置３１の変速段が一段階下げられ、原則的には、主変速装置３０の変速段は最高速段に切り替えられる。つまり、第２操作ユニットＳＵからのダウンシフト指令により、副変速装置３１の1つ下の変速段と主変速装置３０の最高速段とが組み合わされる。これは、副変速装置３１をダウンシフトすることで車両変速比が大きく変化することを回避するためである。しかしながら、主変速装置３０の変速段が最高速段の時に副変速装置３１をダウンシフトして、副変速装置３１の1つ下の変速段と主変速装置３０の最高速段とが組み合わされても、その変速差がわずかとなるような変速段構成がある。このような構成の場合には、例外的に副変速装置３１の1つ下の変速段と主変速装置３０の最高速段の少なくとも1つ下の変速段とが組み合わされる（図１ではＣ１からＢｎ−１に移行する点線で示されている）。また、副変速装置３１の変速段が既に最低速段であるときは、そのダウンシフト指令は、無視される。
【００２２】
なお、路上走行では、走行負荷は小さく、走行作業車自体の慣性もあるので、副変速装置３１の変速段切り替え時に生じる一瞬の動力伝達の遮断がショックをもたらす可能性は低い。このため、路上走行において設定される路上走行モードにおいては、例外的に、第１操作ユニットＭＵからの変速操作指令に応答して副変速装置３１の変速段の切り替えを伴うように構成してもよい。図１では示されていないが、例えば、主変速装置３０が最後段の時に第１操作ユニットＭＵからアップシフト指令が出力されると、副変速装置３１の変速段を１つ上の変速段に切り替えるとともに、主変速装置３０を最低速段（１段）または最低速段の少なくとも１つ上の変速段に切り替える。同様に、主変速装置３０が最高速段（ｎ段）の時に第１操作ユニットＭＵからダウンシフト指令が出力されると、副変速装置３１の変速段を１つ下の変速段に切り替えるとともに、主変速装置３０を最高速段（ｎ段）または最高速段の少なくとも1つ下の変速段（ｎ−１段）に切り替える。
【００２３】
主変速装置３０と副変速装置３１との組み合わせによって得られる変速段が２０を超えるような場合、通常の作業走行や路上走行では、その全てを使用することはほとんどない。これから行うとする作業走行や路上走行で必要と想定される変速段だけを使用可能にすることは、好都合である。主変速装置３０と副変速装置３１との組み合わせによって作り出される全ての変速段から所望の変速範囲に属する変速段だけを選択するための、好適な形態を、図２を用いて説明する。なお、説明を簡単にするため、ここでは、主変速装置３０は１から４段の４つの変速段を有し、副変速装置３１はＡからＦまでの６つの変速段を有するとする。
【００２４】
変速段選択では、表示画面生成部８１によって走行作業車に搭載されている液晶パネルなどの表示装置に表示される表示画面が重要な役割を果たす。この表示画面には、第１表示画面１０１と第２表示画面２００とが含まれている。図２に示されているように、第１表示画面１０１は、走行中に運転者に種々の情報を報知する目的の報知画面の１つであり、エンジン回転数表示領域、記憶されたエンジン回転数表示領域、駆動方向（前進または後進）表示領域などとともに、その右下側に現在選択されている主変速装置３０の変速段と副変速装置３１の変速段とを示す変速状態表示領域１０２が配置されている。
【００２５】
第１表示画面１０１の変速状態表示領域１０２には、副変速装置３１の変速段群を表示する副変速段表示領域２０２と、副変速装置３１の各変速段に主変速装置３０の変速段群が割り当てられて表示される主変速段表示領域２０１と、主変速装置３０の使用中の変速段と副変速装置３１の使用中の変速段とを一体化して車両変速比を決定する使用変速段を表示する使用変速段表示領域１０３が含まれている。第２表示画面２００は、変速段選択画面として利用するため、第１表示画面１０１の変速状態表示領域１０２をベースとして生成されている。また、第２表示画面２００は所定の操作によって第１表示画面１０１から移行することができる。第２表示画面２００には、副変速段表示領域２０２と主変速段表示領域２０１とが配置されているとともに、使用変速段表示領域１０３に代えて変速段選択作業において選択中の変速段を表示する選択変速段表示領域２０３が配置されている。さらに、第２表示画面２００には、車両変速比の下限を規定するための主変速装置３０と副変速装置３１との組み合わせ変速段を選択する下限選択領域２０４と、車両変速比の上限を規定するための主変速装置３０と副変速装置３１との組み合わせ変速段を選択する上限選択領域２０５とが追加配置されている。
【００２６】
図２で示した例では、副変速段表示領域２０２と主変速段表示領域２０１とが、選択変速段表示領域２０３のほぼ中央を中心とする半円弧状の棒グラフ形態で形成されている。したがって、この半円弧の中心を通る径方向に延びる線を通じて、主変速装置３０と副変速装置３１との組み合わせ変速段を規定することができる。さらに、下限選択領域２０４及び上限選択領域２０５も、同じ中心をもつ半円弧状の棒グラフ形態で形成されている。つまり、副変速段表示領域２０２と主変速段表示領域２０１と下限選択領域２０４と上限選択領域２０５とは、同軸に配置されている。その径方向の配置順序は任意であるが、図２の図例では、副変速段表示領域２０２、主変速段表示領域２０１、下限選択領域２０４、上限選択領域２０５の順で径方向外側に向かって並んでいる。
【００２７】
下限選択領域２０４には下限変速段を指示する下限設定指針２０６が下限選択領域２０４内を移動可能に配置され、上限選択領域２０５には上限変速段を指示する上限設定指針２０７が上限選択領域２０５内を移動可能に配置されている。ここで示された例では、下限設定指針２０６を移動させるプラスボタン２０６ａとマイナスボタン２０６ｂ、及び上限設定指針２０７を移動させるプラスボタン２０７ａとマイナスボタン２０７ｂとがソフトウエアボタンとして配置されている。このようなソフトウエアボタンに代えて、直接下限設定指針２０６や上限設定指針２０７をドラックして移動させる構成を採用してもよいし、ハードウエアボタンを備えるようにしてもよい。いずれにせよ、下限設定指針２０６と半円弧の中心を通る径方向に延びる線上に位置する主変速装置３０と副変速装置３１との組み合わせ変速段が下限変速段として、選択変速段表示領域２０３の左側に表示される。また、上限設定指針２０７と半円弧の中心を通る径方向に延びる線上に位置する主変速装置３０と副変速装置３１との組み合わせ変速段が上限変速段として、選択変速段表示領域２０３の右側にされる。
【００２８】
これにより、第１操作ユニットＭＵまたは第２操作ユニットＳＵを操作することによって実現する、主変速装置３０と副変速装置３１との組み合わせ変速段は上述の変速段選択処理を通じて選択された変速範囲に限定される。
【００２９】
なお、主変速装置３０も使用変速段を選択可能に構成することができる。主変速装置３０の変速段選択処理は、例えば、第３表示画面の一例である、図３に示すような主変速装置３０のための使用変速段選択画面３００を通じて行うことができる。なお、ここでも説明を簡単にするため主変速装置３０は１から４段の４つの変速段を有するものとする。使用変速段選択画面３００の左側には、４つの変速段を示す４つの横バー３０１が配置されており、選択された変速段と選択されない変速段は横バーの描画色または描画パターンの違いで区別される。４つの横バー３０１の下側には、選択された変速段が数値で、例えば、「２−４」というように、示される選択変速段表示欄３０２が配置されている。使用変速段選択画面３００の左側には、下限変速段を指定する下限設定指針３０３と、上限変速段を指定する上限設定指針３０４とが並んで配置されている。ここでも、下限設定指針３０３を移動させるプラスボタン３０３ａとマイナスボタン３０３ｂ、及び上限設定指針３０４を移動させるプラスボタン３０４ａとマイナスボタン３０４ｂとがソフトウエアボタンとして配置されている。このようなソフトウエアボタンに代えて、直接下限設定指針３０３や上限設定指針３０４をドラックして移動させる構成を採用してもよいし、ハードウエアボタンを備えるようにしてもよい。
【００３０】
上述した、使用変速段の選択は、作業走行モードと路上走行モードとで別個に設定することが可能である。作業走行では狭い変速範囲が使用され、路上走行では広い変速範囲が使用されることを考慮すれば、第３表示画面を用いた主変速装置３０の変速段範囲の選択は作業走行モード時に有効となり、第２表示画面を用いた主変速装置３０及び副変速装置３１の変速段の選択は路上走行モード時に有効となる構成が好都合である。
【００３１】
次に、図面を用いて、本発明による走行作業車の具体的な実施形態の１つを説明する。図４は、走行作業車の一例であるトラクタの側面図である。このトラクタは、図４で示されているように、前輪２ａと後輪２ｂとによって支持されているトラクタの車体１の前部にエンジン２０が搭載され、エンジン２０の後方にトランスミッション３が搭載されている。車体１の後方には作業装置２２としてロータリ耕耘装置がリンク機構２３を介して昇降自在に装備されている。このトラクタは四輪駆動型であり、エンジン２０の動力は、トランスミッション３に内装された変速機構を介して駆動輪として機能可能な前輪２ａ及び後輪２ｂに伝達される。さらに、エンジン２０の動力は、トランスミッション３から後方に突き出しているＰＴＯ軸２４を介して作業装置２２にも伝達される。エンジン２０はボンネット２１によって覆われている。ボンネット２１の後方かつトランスミッション３の上方でキャビン１０が車体１に支持されている。
【００３２】
図５で模式的に示されているだけであるが、この実施形態のトランスミッション３には、変速機構として主変速装置３０と副変速装置３１が含まれており、さらに、主変速装置３０に前後進切替機構３２が組み込まれている。トランスミッション３からの変速動力は、差動装置３３と後車軸３４を介して後輪２ｂに伝達される。詳しく図示されていないが、トランスミッション３からの変速動力は、前輪２ａにも伝達可能である。主変速装置３０は、常時かみ合いのギヤセットと複数のクラッチを用いて、動力伝達の遮断を伴わずに４つ変速段の切り替えるタイプである。副変速装置３１は、動力伝達の遮断を伴わって６つの変速段を切り替える、いわゆるシンクロメッシュタイプである。
【００３３】
キャビン１０の内部は運転空間として機能し、その前部には、前輪２ａの操向操作を行うステアリングハンドル１１が、その後部で、左右一対の後輪フェンダ１５の間には、運転座席１２が配置されている。運転座席１２の側方から前方にかけて、多機能操作具５を有するアームレスト操作装置４が設けられている。アームレスト操作装置４の前側には運転者に種々の情報を視覚的に報知するディスプレイ１３が設けられている。
【００３４】
図６及び図７に示されているように、アームレスト操作装置４は、図示されていない支持フレームに固定される取付ブラケット４Ｂに固定されるアームレスト支持台４Ａを備えている。取付ブラケット４Ｂには前方に延びながら上方に向かって傾斜している支持ロッド４Ｃが固定されており、支持ロッド４Ｃの先端部に液晶パネルなどのディスプレイ１３が取り付けられている。このディスプレイ１３はタッチパネル１３Ａを通じて入力操作が可能なものであり、運転者による各種操作入力を受け入れることができる。
【００３５】
図６から明らかなように、アームレスト操作装置４は、平面視において、前領域４ａ、中間領域４ｂ、後領域４ｃに区分けすることができる。後領域４ｃには腕を載せる、クッション性のあるアームレスト台４０が設けられている。前領域４ａのほぼ左半分に、後で詳しく説明する、多機能操作具５が設けられている。前領域４ａのほぼ右半分には、操作スイッチ群９として、第１操作スイッチ群９ａと第２操作スイッチ群９ｂとが配置されている。中間領域４ｂにも、操作スイッチ群９として、左から、第３操作スイッチ群９ｃ、第４操作スイッチ群９ｄ、第５操作スイッチ群９ｅが配置されている。各操作スイッチ群９には、ボタン、スイッチ、ダイヤル、レバー、ジョイスティックなどの各種の型式で形成される操作スイッチが設けられている。
【００３６】
アームレスト台４０の左側の前端領域に、揺動軸Ｐ１周りで揺動可能に支持された多機能操作具５が配置されている。この多機能操作具５は、トラクタの走行状態及びトラクタに装備された作業装置２２の状態を制御するために用いられる。多機能操作具５は、実質的には、グリップ本体５Ａと揺動体５Ｂとからなる。揺動体５Ｂは、図８理解できるように、揺動軸Ｐ１周りで揺動するアーム部材として形成されている。揺動体５Ｂの揺動中立位置から、揺動体５Ｂを前方方向（Ｐ）に揺動させることで車両を増速させ、後方方向（Ｄ）に揺動させることで車両を減速させるように構成されている。
【００３７】
グリップ本体５Ａは、揺動体５Ｂの自由端部側に設けられている。図８に示すように、グリップ本体５Ａは、右側領域、ここではほぼ右側半分領域に形成された握り部５０と、左側領域、ここではほぼ左側半分領域に形成された、操作スイッチ群９のための延長部５１とからなる。グリップ本体５Ａは、凸状湾曲面５２と垂直状側面５３と裏面５４ａと底面５４ｂとによって外周面が形成されている。凸状湾曲面５２は、握り部５０を掴む手のひらがスムーズに覆いかぶさるような形状を有する。垂直状側面５３は、凸状湾曲面５２の左端縁に対してほぼ垂直に延びた面である。握り部５０の下端縁、つまり底面５４ｂと凸状湾曲面５２との境界領域の少なくとも一部に、外方に突き出した舌片が小指球載せ５５として形成されている。この小指球載せ５５は、握り部５０に載せた手のひらが下方にずれ落ちないようにその手の小指球を保持する形状を有する。
【００３８】
延長部５１の上面はほぼ平坦な面またはわずかに凸に湾曲した面を有している。延長部５１の上面は、実際の適用に当たっては操作者に対向するように配置されるため、以後操作者対向面５６と称する。延長部５１の操作者対向面５６は握り部５０の垂直状側面５３の下端縁から左方向に延びるような形態で、握り部５０と延長部５１とがつながっており
、操作者対向面５６と垂直状側面５３とがほぼ直角に交わっている。したがって、操作者対向面５６と垂直状側面５３とによって境界づけられる空間は、握り部５０に載せた手の親指がある程度自由に動かせる広さを持っている。それゆえ、この空間は親指自由空間ＴＳと称している。
【００３９】
垂直状側面５３と操作者対向面５６とには、操作スイッチ群９に属する操作スイッチ（ボタンやレバーなどを含む）が配置されている。この実施形態では、操作者対向面５６には、走行に関する操作スイッチ群に属するシャトルボタン９１と変速比固定ボタン９３、作業に関する操作スイッチ群に属するアップダウンボタン９２、２つの油圧制御スイッチ９４ａ、９４ｂが設けられている。シャトルボタン９１は、操作者対向面５６のほぼ上半分（前半分）の最も垂直状側面５３に近い位置に配置されている。アップダウンボタン９２は、シャトルボタン９１の左隣りに配置されており、変速比固定ボタン９３はさらにシャトルボタン９１の左隣りに配置されている。油圧制御スイッチ９４ａ、９４ｂは操作者対向面５６のほぼ下半分（前半分）に横並び配置されている。また、垂直状側面５３には、変速補助ボタン９５が配置されている。さらに、握り部５０の裏面５４ａには、シャトル補助ボタン９６が配置されている。このシャトル補助ボタン９６は、握り部５０の凸状湾曲面５２に手のひらを載せた手の人差し指または中指で簡単に操作可能である。
【００４０】
シャトルボタン９１は、シャトル補助ボタン９６を押すとともにシャトル上向き矢印の箇所を押すことでトランスミッション３の前後進切替機構３２を前進状態に切り替え、また、シャトル補助ボタン９６を押すとともに下向き矢印の箇所を押すことでトランスミッション３の前後進切替機構３２を後進状態に切り替える機能を有する。つまり、シャトル補助ボタン９６を中指か人差し指で押した状態で、親指でシャトルボタン９１を押すことで、前後進切替機構３２を制御してトラクタの前進と後進を選択することができる。
【００４１】
上述したように、トランスミッション３の主変速装置３０は、動力伝達の遮断を伴わずに４つ変速段の切り替えるタイプであり、副変速装置３１は、動力伝達の遮断を伴って６つの変速段を切り替える、いわゆるシンクロメッシュタイプである。このことから、握り部５０の搖動軸Ｐ１周りの揺動操作による変速段の切り替え（シフトアップ、シフトダウン）において、副変速装置３１の切り替えを伴わない、主変速装置３０だけの変速段の切り替え操作は、変速補助ボタン９５を押さなくとも有効であるが、副変速装置３１の切り替えを伴う変速段の切り替え操作は、変速補助ボタン９５を押さなければ無効となるように構成されている。つまり、この実施形態では、変速補助ボタン９５を押さない状態の多機能操作具５が第１操作ユニットＭＵとして機能し、変速補助ボタン９５を押した状態の多機能操作具５が第２操作ユニットＳＵとして機能することになる。
【００４２】
また、このトランスミッション３は、車速に応じて適切な変速比が設定されるように構成されている。しかしながら、作業時等では、一時的に車速が変動しても変速比はそのままに維持することが好ましい場合がある。この問題を解決するため、変速比固定ボタン９３は、変速比を強制的に固定するためのボタンであり、これを操作することで、ブレーキ操作などの車速が低下しても、トランスミッション３の変速比は変更されない。
【００４３】
アップダウンボタン９２は、上下２つのボタン部に分かれており、上ボタン部を押すことで作業装置２２を上昇させ、下ボタン部を押すことで作業装置２２を下降させる。油圧制御スイッチ９４ａ、９４ｂは、作業装置２２に接続される油圧配管の弁を制御するものである。
【００４４】
図９に、多機能操作具５を用いた増速側への操作（シフトアップ）と減速側への操作（シフトダウン）を行った際の操作前の変速段と、操作後の変速段が示されている。主変速装置３０の変速段は１から４の数で示され、副変速装置３１の変速段はＡからＦのアルファベットで示されている。変速操作後の変速段は、変速補助ボタン９５を押さずに握り部５０をシフトアップまたはシフトダウンした結果（主変速段切替操作）の変速段と、変速補助ボタン９５を押しながら握り部５０をシフトアップまたはシフトダウンした結果（副変速段切替操作）の変速段とに区分けされている。主変速段切替操作後の変速段は、路上走行と作業走行で区分けされている。図９に示された結果は、図１を用いて説明された内容に準じているので、ここでの説明は省略される。
【００４５】
なお、図９で一覧化された変速段切替表には、主変速装置３０が有する１から４の全ての変速段と、副変速装置３１が有するＡからＦの全ての変速段が示されていた。しかしながら、図２を用いて説明したように、このトラクタにおいても、主変速装置３０と副変速装置３１との組み合わせによって作り出される変速段のうち、使用可能な変速段範囲を選択することができる。さらに、図３を用いて説明したように、主変速装置３０の変速段のうち、使用可能な変速段範囲を選択することも、可能である。
【００４６】
図１０では、このトラクタに装備されている制御系が機能ブロック図の形態で示されている。この制御系において、主にコンピュータプログラムによって実現される機能を構築している機能部を演算制御装置８００として示しているが、この区分けは、あくまで説明目的であり、実際の制御系の構築に当たっては、自由に分割、統合が可能である。演算制御装置８００は車載ＬＡＮなどによってデータ伝送可能に他のユニットと接続されている。そのようなユニットとして、例えば、機器制御ユニット８０１、入力信号処理ユニット８０２、報知処理ユニット８０３などが挙げられる。また、演算制御装置８００の内部においても、各機能部や機能ユニットは車載ＬＡＮやその他のデータ伝送路と通じてデータ伝送可能に接続されている。
【００４７】
機器制御ユニット８０１は、エンジン２０、トランスミッション３、作業装置２２などに備えられた各種動作機器に対して動作信号を与えて、その動作を制御する。入力信号処理ユニット８０２は、入力インターフェースの機能を有し、多機能操作具５や操作スイッチ群９や各種センサを含む状態検知センサ群９０からの信号を入力して、この制御系の各機能部に転送する。報知処理ユニット８０３は、入出力インターフェースの機能を有し、ディスプレイ１３への画像信号やスピーカ１４への音声信号、あるいはタッチパネル１３Ａからの操作入力信号を処理する。
【００４８】
図１０で例示された演算制御装置８００には、変速制御ユニット６、作業制御ユニット７Ａ、作業走行支援ユニット７Ｂ、表示制御ユニット８、走行状態判定部６０などが含まれている。
【００４９】
変速制御ユニット６は、機器制御ユニット８０１を介して、主変速装置３０や副変速装置３１に変速制御指令を出力して前記主変速装置と前記副変速装置との変速段の組み合わせによる車両変速比を作り出す。変速制御ユニット６には、第１走行制御部６１と、第２走行制御部６２と、変速段設定部６３とが含まれている。第１走行制御部６１は、作業走行モードにおいて、変速補助ボタン９５を押さない状態での多機能操作具５に対する揺動操作による変速操作指令に応答して主変速装置３０の変速段の切り替えだけを行う変速制御指令を生成する。路上走行モードにおいては、上述したように、例外的に副変速装置３１の変速段の切り替えを伴う場合がある。第２走行制御部６２は、変速補助ボタン９５を押した状態での多機能操作具５に対する揺動操作による変速操作指令に応答して副変速装置３１の変速段の切り替えを伴う変速制御指令を生成する。変速段設定部６３は、図２と図３を用いて説明したような手順を通じて、主変速装置３０及び副変速装置３１における使用可能な変速段を設定する。
【００５０】
表示制御ユニット８は、報知処理ユニット８０３などと協働して変速表示制御装置を構築するものであり、第１表示画面１０１と第２表示画面２００と第３表示画面（使用変速段選択画面）３００を生成する表示画面生成部８１が含まれている。第１表示画面１０１と第２表示画面２００との説明は図２を用いて、第３表示画面（使用変速段選択画面）３００は図３を用いて、先に説明した通りである。また、第２表示画面２００及び第３表示画面３００を通じて選択された変速範囲は、変速制御ユニット６に与えられ、変速制御における利用変速段の限定条件として用いられる。
【００５１】
走行状態判定部６０は、入力信号処理ユニット８０２を通じて得られる、作業車の状態を検知する状態検知センサ群９０のうちの少なくとも１つの状態検知センサからの検知信号に基づいて作業走行状態であるか路上走行状態であるかを判定する。作業走行状態と判定されると、変速制御ユニット６において作業走行モードが設定され、路上走行状態と判定されると路上走行モードが設定される。
【００５２】
作業制御ユニット７Ａは、作業用の操作スイッチ群９からの信号等に基づいて作業装置２２の制御を行う。また、作業装置の上限設定や作業装置の昇降速度も管理する。作業走行支援ユニット７Ｂは、一部の作業走行の自動化や、状態検知センサ群９０からの信号に基づいて警報など、運転者に対する報知を管理する。
【００５３】
〔別実施の形態〕
（１）上述した実施形態では、主変速段表示領域２０１と副変速段表示領域２０２とは同じ中心をもつ半円弧状の棒グラフ形態であったが、各副変速段及び全ての主変速段を一辺とする半多角形状の棒グラフ形態であってもよい。
（２）ディスプレイ１３は、アームレスト操作装置４とは別に、異なる位置に配置されてもよい。また、複数のディスプレイ１３を備えて、互いにミラーリングするようにしてもよい。
（３）図１０で示された機能ブロックは、説明目的で記載されているだけであり、それらの各機能ユニットは、任意に統合することまたは任意に分割することが可能である。特に、演算制御装置８００に構築されている各機能部は、互いにソフトウエア的に連係しているので、実際にはその機能は重なり合っている場合は多く、図１０で示した機能部は、模式的に示しているに過ぎず、ここで、その機能の区分けを限定しているわけでない。
【産業上の利用可能性】
【００５４】
本発明による走行作業車は、トラクタ以外、田植機、コンバインなどの農用作業車、あるいはフロントローダなどの建設土木作業車などに適用可能である。
【符号の説明】
【００５５】
３        ：トランスミッション
４        ：アームレスト操作装置
５        ：多機能操作具
６        ：変速制御ユニット
７Ａ      ：作業制御ユニット
８        ：表示制御ユニット
９        ：操作スイッチ群
１３      ：ディスプレイ
１３Ａ    ：タッチパネル
３０      ：主変速装置
３１      ：副変速装置
５０      ：握り部
６０      ：走行状態判定部
６１      ：第１走行制御部
６２      ：第２走行制御部
６３      ：変速段設定部
８１      ：表示画面生成部
９０      ：状態検知センサ群
９１      ：シャトルボタン
９２      ：アップダウンボタン
９５      ：変速補助ボタン
１０１    ：第１表示画面
１０２    ：変速状態表示領域
１０３    ：使用変速段表示領域
２００    ：第２表示画面
２０１    ：主変速段表示領域
２０２    ：副変速段表示領域
２０３    ：選択変速段表示領域
２０４    ：下限選択領域
２０５    ：上限選択領域
３００    ：第３表示画面（使用変速段選択画面）
８００    ：演算制御装置
８０１    ：機器制御ユニット
８０２    ：入力信号処理ユニット
ＭＵ      ：第１操作ユニット
ＳＵ      ：第２操作ユニット
【図１】
0006373114.tif 000002
【図２】
0006373114.tif 000003
【図３】
0006373114.tif 000004
【図４】
0006373114.tif 000005
【図５】
0006373114.tif 000006
【図６】
0006373114.tif 000007
【図７】
0006373114.tif 000008
【図８】
0006373114.tif 000009
【図９】
0006373114.tif 000010
【図１０】
0006373114.tif 000011